(57)【要約】   【課題】  外反母趾に対して適切な矯正力を与え、正常な足骨の形成を助ける外反母趾矯正履物を提供する。  【解決手段】  一端が履物底上面の内周縁上部（母趾横付近）に固定された第１の内側ベルト片１０と一端が履物底上面の外周縁上部（小指横付近）に固定された第１の外側ベルト片２０を結び付け、足のつま先における遊びの大きさを調節しつつ利用者の母趾から小指までを覆う。母趾矯正ベルト３０は一端が履物底上面８０のうちの正常な形の母趾の内股が位置すべき部分に固定され、他端が貫通孔１１を貫通して第１の内側ベルト片１０の裏面側から外表面側に導かれている。母趾矯正ベルト３０の他端を利用者の外反母趾に対して矯正方向（外反方向とは逆方向）に適度にテンションを与えるように調整しつつ引っ張り、当該引っ張り位置において係止せしめる。【選択図】  図１
2006187545.tif 000002
【特許請求の範囲】
【請求項１】
外反母趾を矯正する外反母趾矯正履物であって、
一端が履物底上面の内周縁上部（母趾横付近）に固定された第１の内側ベルト片と一端が前記履物底上面の外周縁上部（小指横付近）に固定された第１の外側ベルト片を備え、前記第１の内側ベルト片と前記第１の外側ベルト片とを相互に結び付け、足のつま先における遊びの大きさを調節しつつ利用者の母趾から小指までを覆う第１のベルトと、
前記第１の内側ベルト片において前記母趾上面付近に穿たれた貫通孔と、
一端が前記履物底上面のうちの正常な形の母趾の内股が位置すべき部分に固定され、他端が前記貫通孔を貫通して前記第１の内側ベルト片の裏面側から外表面側に導かれた母趾矯正ベルトを備え、
前記母趾矯正ベルトの他端を、前記利用者の外反している母趾に対して矯正方向（外反方向とは逆方向）に適度にテンションを与えるように調整しつつ引っ張り、前記他端を当該引っ張り位置において係止せしめる外反母趾矯正履物。
【請求項２】
一端が前記履物底上面の内周縁中部（母趾球横付近）に固定された第２の内側ベルト片と一端が前記履物底上面の外周縁中部（第５趾球横付近）に固定された第２の外側ベルト片を備え、前記第２の内側ベルト片と前記第２の外側ベルト片とを相互に結び付け、前記利用者の母趾球から第５趾球までを覆う第２のベルトを備え、
前記第２の内側ベルト片により前記利用者の母趾球に対して外側（小指側）にテンションを加えせしめる請求項１に記載の外反母趾矯正履物。
【請求項３】
前記履物底上面が、正常な人の足骨形状が持つべき内縦足弓（土踏まずアーチ）、外縦足弓（小指側アーチ）、横足弓（メタタザールアーチ）に対応する丘状凸面形状と、前記利用者の踵に対応する凹面形状を備えた請求項１から２のいずれかに記載の外反母趾矯正履物。
【発明の詳細な説明】
【技術分野】
【０００１】
この発明は外反母趾矯正履物に関する。外反母趾を有する利用者が本発明の外反母趾矯正履物を装着することにより、利用者の母趾（足親指）の外反を緩和・矯正し、正常な足骨の形成を助けるものである。
【背景技術】
【０００２】
外反母趾は、その名のとおり、母趾の先端部分が体の外側（小指側）に反り、母趾球（母趾の付け根の関節）が「く」の字型に曲がって張り出した状態になる症状のことを言う。足に合わない靴や筋力低下によって、母趾の中足骨から小指の中足骨までの横足弓（メタタザールアーチ）の高さが減少することにより生じる開帳足が起因となって発症すると言われている。外反母趾の症状が進行すると骨が変形して歩行が困難になる場合もある。
従来技術において、利用者の外反母趾を矯正することを目的とした外反母趾矯正履物は幾つか知られている。
【０００３】
第１のパターンとして、いわゆる母趾内股柱状構造物タイプの外反母趾矯正履物が挙げられる。例えば、特開平１１−２７６２０３、特開平１１−１６９２０１などが知られている。これらは利用者の母趾と第２趾（足人差指）の内股部分に相当する履物上面位置に柱状の構造物を設けるもので、利用者の母趾と第２趾（足人差指）の内股で当該構造物を挟み込む状態で履物を装着することにより、外反している母趾を矯正する。利用者の母趾が外反症状を有している場合でも、当該柱状構造物があるため母趾内股が当該柱状構造物に当たって外反方向には曲がることができない。つまり当該柱状構造物により強制的に母趾骨を曲げ戻すものである。
【０００４】
第２のパターンとして、いわゆる輪状ベルトの配設方向矯正タイプの外反母趾矯正履物が挙げられる。例えば、特開２００４−２１５８７０、特開２００３−３３２０４、特開２００２−３４５５０１が知られている。これらは履物底上面に輪状ベルトを設け、それらを正常な母趾位置に配設しておくものである。利用者が母趾や第２趾を決められた輪状ベルトに挿入して装着することにより、外反している母趾を矯正する。利用者の母趾が外反症状を有している場合でも、強制的に母趾を挿入するベルトの配設方向を定めているので外反している母趾を矯正する力を加えることができる。
【０００５】
第３のパターンとして、いわゆる外反母趾矯正サポータが挙げられる。例えば、特開平１１−７６２８３、特開２００３−２９０２６３が知られている。これらは母趾を包むサポータ部分と足甲に巻きつけて固定する本体部分を備え、母趾をサポータごとサポータ本体側に引っ張るものである。利用者の母趾が外反症状を有している場合でも、サポータ部分を介して外反している母趾を矯正する力を加えることができる。
【０００６】
【特許文献１】特開平１１−２７６２０３号公報
【特許文献２】特開平１１−１６９２０１号公報
【特許文献３】特開２００４−２１５８７０号公報
【特許文献４】特開２００３−３３２０４号公報
【特許文献５】特開２００２−３４５５０１号公報
【特許文献６】特開平１１−７６２８３号公報
【特許文献７】特開２００３−２９０２６３号公報
【発明の開示】
【発明が解決しようとする課題】
【０００７】
上記したとおり、従来技術において外反母趾を矯正する履物が知られているが、それぞれに問題点を有している。
第１のいわゆる母趾内股柱状構造物タイプの外反母趾矯正履物は、母趾の骨を傷めやすいという問題点があった。利用者の母趾が強い外反症状を有している場合、柱状構造物があるため母趾内股が当該柱状構造物に当たって強制的に母趾を曲げ戻すものであり、母趾が構造物に強く当たり続けるため、骨に無理な力がかかり母趾を傷める問題が発生しやすい。
【０００８】
第２のいわゆる輪状ベルトの配設方向矯正タイプの外反母趾矯正履物は、母趾矯正力が十分ではないという問題点があった。
前者の問題は以下の原因で生じる。輪状ベルトの配設方向矯正タイプの外反母趾矯正履物は、母趾を決められた輪状ベルトに挿入して装着するが、挿入のためにはベルト内径は母趾外径に対してある程度の遊びが必要で、かつ、ベルトがある程度の柔軟性を有していなければならない。この遊びの隙間が母趾の外反を許す隙間として働いてしまい、母趾の矯正力を十分には得られない（特開２００２−３４５５０１号公報）。
【０００９】
また、母趾の外縁に外側ベルト、内股に内側ベルトを持ち、それらベルトを母趾に結び付けて輪状ベルトを形成するものであっても（特開２００４−２１５８７０号公報、特開２００３−３３２０４号公報）、外側ベルトと内側ベルトとを母趾に対して遊びなく結び付けることは難しいため遊びが生じやすく、この遊びの隙間が母趾の外反を許す隙間として働いてしまう。つまり、外側ベルトと内側ベルトの結び付けにおいて、外側ベルトは内側に、内側ベルトは外側に引っ張らねばならないが両者の引っ張る方向が相互に衝突するので、双方ともを手で強く引っ張りつつ両者を結び付けることが難しい。そのためどうしても遊びが生じやすくこの遊びの隙間が母趾の外反を許す隙間として働いてしまう。
【００１０】
第３のいわゆる外反母趾矯正サポータは、母趾に加える矯正方向が斜め後方向であり、矯正力が正しい方向とは言えないという問題点があった。
外反母趾矯正サポータは、サポータ部分により母趾を包み、当該サポータを足甲に巻いたサポータ本体方向に引っ張るものである。つまり、サポータを引っ張る方向は斜め後方向であり、外反方向とは真逆の方向とはなっていない。そのため、利用者の母趾が外反症状を有している場合、当該外反を矯正するために加えるテンションとしては適当とは言えない。この外反母趾矯正サポータは、母趾が第１趾と重なり合うことを防ぐものであり、外反母趾の症状進行を抑えることを目的としたもので、外反している母趾に対して外反方向とは逆方向の矯正力を与えるものではない。
【００１１】
上記問題点に鑑み、本発明は、外反している母趾を有する利用者が装着することにより、外反している母趾にフィットして包み込みつつ、外反方向とは真逆の方向にしっかりと適切な矯正力を与え、正常な足骨の形成を助ける外反母趾矯正履物を提供することを目的とする。
【課題を解決するための手段】
【００１２】
上記目的を達成するため、本発明の外反母趾矯正履物は、一端が履物底上面の内周縁上部（母趾横付近）に固定された第１の内側ベルト片と一端が前記履物底上面の外周縁上部（小指横付近）に固定された第１の外側ベルト片を備え、前記第１の内側ベルト片と前記第１の外側ベルト片とを相互に結び付け、足のつま先における遊びの大きさを調節しつつ利用者の母趾から小指までを覆う第１のベルトと、前記第１の内側ベルト片において母趾上面付近に穿たれた貫通孔と、一端が前記履物底上面のうちの正常な形の母趾の内股が位置すべき部分に固定され、他端が前記貫通孔を貫通して前記第１の内側ベルト片の裏面側から外表面側に導かれた母趾矯正ベルトを備え、前記母趾矯正ベルトの他端を、前記利用者の外反している母趾に対して矯正方向（外反方向とは逆方向）に適度にテンションを与えるように調整しつつ引っ張り、前記他端を当該引っ張り位置において係止せしめるものとした。
【００１３】
上記構成により、履物底上面上部を覆うように固定された第１のベルトに対して、貫通孔を介して外表面側に導かれている母趾矯正ベルトを容易かつしっかりと引っ張って係止せしめることができる。つまり、第１の内側ベルト片は第１の外側ベルト片を介して履物底上面外周縁に固定されているので、第１の内側ベルト片を外側方向（足小指側方向）に引っ張る一方、母趾矯正ベルトの他端を内側方向（足親指側方向）に引っ張る。母趾矯正ベルトは貫通孔を介して第１の内側ベルト片を貫通しているので両者をしっかりと締め合うことができる。また、母趾矯正ベルトの他端は第１の内側ベルト片の表側に導き出されているので容易に手で引っ張ることができ、母趾に対して矯正力を十分に与えることができる。
【００１４】
本発明の外反母趾矯正履物は、バリエーションとして、さらに、一端が前記履物底上面の内周縁中部（母趾球横付近）に固定された第２の内側ベルト片と一端が前記履物底上面の外周縁中部（第５趾球横付近）に固定された第２の外側ベルト片を備え、前記第２の内側ベルト片と前記第２の外側ベルト片とを相互に結び付け、前記利用者の母趾球から第５趾球までを覆う第２のベルトを備え、前記第２の内側ベルト片により前記利用者の母趾球に対して外側（小指側）にテンションを加えせしめるものとする構成も可能である。
【００１５】
上記構成により、外反母趾の症状の一つである、「く」の字型に曲がって張り出した母趾球に対して、第２のベルトにより当該張り出しを矯正するための力を加えることができる。
【００１６】
本発明の外反母趾矯正履物は、さらなるバリエーションとして、前記履物底上面が、正常な人の足骨形状が持つべき内縦足弓（土踏まずアーチ）、外縦足弓（小指側アーチ）、横足弓（メタタザールアーチ）に対応する丘状凸面形状と、前記利用者の踵に対応する凹面形状を備えたものとすることも可能である。
【００１７】
上記構成により、足裏に正常な人の足骨形状が持つべき内縦足弓、外縦足弓、横足弓の形成が促され、外反母趾の症状進行を抑えることが可能となる。
【発明の効果】
【００１８】
本発明の外反母趾矯正履物は、外反している母趾全体を包み込みつつ、外反方向とは真逆の方向に外反を矯正する力をしっかりと加え、外反母趾の矯正に資することができる。
また、足裏に正常な人の足骨形状が持つべき内縦足弓、外縦足弓、横足弓の形成を促進することができ、外反母趾の症状進行を抑えることができる。
【発明を実施するための最良の形態】
【００１９】
以下、図面を参照しつつ、本発明の外反母趾矯正履物の実施例を説明する。ただし、本発明の技術的範囲は以下の実施例に具体例として示した具体的形状や個数などには限定されないことは言うまでもない。
なお、明細書の記載において、母趾とは足の親指のことであり、第２趾とは足の人差指のことであり、第５趾とは足の小指のことであり、母趾球とは足の母趾の付け根の関節（基節骨と中足骨との関節）のことであり、第５趾球とは足の小指の付け根の関節（基節骨と中足骨との関節）のことである。
【実施例１】
【００２０】
実施例１にかかる本発明の外反母趾矯正履物の例を示す。
実施例１に示す外反母趾矯正履物は、母趾から第５趾までのつま先を覆う第１のベルト（第１の内側ベルト片と第１の外側ベルト片）に加え、母趾を矯正する母趾矯正ベルトを備えたものである。本実施例１の構成例は、さらに、母趾球から第５趾球までを覆う第２のベルト（第２の内側ベルト片と第２の外側ベルト片）を備えた例となっている。
【００２１】
図１から図３は実施例１にかかる外反母趾矯正履物１００を示す図である。ここでは右足用の履物を示している。左足用の履物は右足用履物を左右対称とすれば良い。なお、右足用の履物の場合、内周縁側とは左側面側を指し、外周縁側とは右側面側を指す。
図１はすべてのベルトを結んで足への装着が完了した状態を示す図である。左から左側面図、平面図、右側面図の順に並べて示している。
図２（ａ）は、図１の状態から第１の内側ベルト片１０と第１の外側ベルト片２０の結びを外した状態を示す図、図２（ｂ）は、図２（ａ）の状態から母趾矯正ベルト３０を貫通孔１１から外した状態を示す図である。
図３はすべてのベルトを外した状態を示す図である。
【００２２】
図１から図３に示すように、履物底８０の上面上部に、第１の内側ベルト片１０、第１の外側ベルト片２０、外反母趾矯正ベルト３０が設けられている。また、履物底８０の上面中部に、第２の内側ベルト片４０、第２の外側ベルト片５０が設けられている。第１の内側ベルト片１０および第１の外側ベルト片２０が第１のベルトを形成し、第２の内側ベルト片３０および第２の外側ベルト片４０が第２のベルトを形成している。なお、この例では足首甲に対して履物を固定するため履物底８０上面の中ほど（足首甲横付近）に第３の内側ベルト片６０と第３の外側ベルト片７０を備えた第３のベルトも設けられている。
【００２３】
第１の内側ベルト片１０は、その一端が履物底８０の上面の内周縁上部（母趾横付近）に固定されている。第１の外側ベルト片２０は、その一端が履物底８０の上面の外周縁上部（第５趾横付近）に固定されている。ここで、固定方法は限定されないが、例えば、それらベルト片の端を履物底８０上面の周縁部分に対して厚手の糸を用いてミシンにより縫い付けて固定する。皮革用の接着剤を用いることもできる。
【００２４】
第１の内側ベルト片１０と第１の外側ベルト片２０とは相互に結び付けることができる構成となっている。結び付ける方法は特に限定されないが、例えば、第１の内側ベルト片１０の裏面と第１の外側ベルト片２０の外表面のそれぞれにいわゆる着脱テープを設け、両者を着脱自由に係止せしめるものとすることができる。また、着脱テープに代わりに紐類を設け、両者を当該紐により結び付けても良い。
【００２５】
外反母趾矯正ベルト３０は、その一端が履物底８０の上面のうち、正常な形の母趾の内股が位置すべき部分に固定されている。なお、本発明において「正常な形の母趾の内股が位置すべき部分」には、「正常な形の母趾内股が位置すべき部分よりもやや内周縁側に調整した位置付近」も含めたやや広い範囲を意味する。本発明は外反母趾矯正効果の大きさの調整範囲を広くするための工夫も包含するものとする。その工夫とは以下である。後述する外反母趾の矯正効果の大きさは、外反母趾矯正ベルト一端の履物底８０上面での固定位置と、外反母趾矯正ベルト他端の引っ張りによる締め付け度合いにより決まるが、前者の外反母趾矯正ベルト一端の履物底８０上面での位置を正常な形の母趾の内股位置よりやや内周縁側の位置としてあらかじめバイアスをかけておくことにより、後者の外反母趾矯正ベルトの他端の引っ張りによる調整範囲の幅が母趾にとって「矯正力が緩い」ものから「矯正力がきつい」ものまで広く対応できるようになる。外反母趾矯正が進み、外反症状が少なくなってくると、正常な形の母趾の内股が位置すべき部分までの引っ張りではさらなる矯正を続行するための矯正力が十分には得られない場合があり得る。そこで、正常な形の母趾内股が位置すべき部分よりもやや内周縁側に調整した位置付近までの引っ張りを可能としておくと、外反母趾が完全に治癒するまで矯正力を与えることが可能となる。
【００２６】
次に、貫通孔１１について説明する。第１の内側ベルト片１０には母趾上面が位置する付近に貫通孔１１が穿たれている。この貫通孔１１は外反母趾矯正ベルト３０を第１の内側ベルト片１０の裏面側から外表面側に貫通させて通し入れるための孔である。図２（ａ）から図２（ｂ）に示すように外反母趾矯正ベルト３０の他端を貫通孔１１に通し入れて第１の内側ベルト片１０の裏面側から外表面側に導く。このように貫通孔１１を介して外反母趾矯正ベルト３０を第１の内側ベルト片１０に貫通させることにより両者が衝突することなく互いに逆方向に引っ張ることができる。また、しっかりと第１の内側ベルト片１０と外反母趾矯正ベルト３０を相互に締めることができる。また、外反母趾矯正ベルト３０の他端が第１の内側ベルト片１０の外表面側に導かれているので外反母趾矯正ベルト３０の他端を手の指で容易に矯正方向（内周縁側）に引っ張ることができる。
【００２７】
なお、上記した母趾矯正ベルトの履物底８０上面での位置についてやや内周縁側にバイアスを設けておく工夫に対応して、貫通孔１１の位置を第１の内側ベルト片１０上において母趾上面が位置する付近よりやや内周縁側よりの位置としてバイアスを設けておく工夫も可能である。
【００２８】
母趾矯正ベルト３０の他端を第１の内側ベルト片１０の外表面上の任意の位置において着脱自由に係止せしめるが、係止させる方法は特に限定されない。例えば、母趾矯正ベルト３０の他端の裏面に着脱テープを設けておき、第１の内側ベルト片１０の外表面上にも着脱テープを設けておき、両者を着脱自由に係止せしめるものとすることができる。
【００２９】
ここで、本発明における、第１のベルトと母趾矯正ベルト３０による相互の締め合いによる固定の原理を説明しておく。
図５（ａ）の上図は第１のベルトの部分のみを取り出してベルト間の関係を示した図である。図５（ａ）の下図は上図の状態を模式的に示した図である。第１の内側ベルト片１０は第１の外側ベルト片２０に係止されて両者が結び付け合っているが、第１の内側ベルト片１０の一端、第１の外側ベルト片２０の一端は履物底８０に固定されている。この両者が係止し合っているので、いわば履物底の左右両端を結ぶしっかりとしたベースが形成されていることとなる。外反母趾矯正ベルト３０は貫通孔１１を介して第１の内側ベルト片１０の裏面から外表面側に導かれており、前記したベースに対してクロスする形でしっかりと引き締めることができる様子が分かる。また、貫通孔１１の形状と外反母趾矯正ベルト３０の形状が略同一で両者の間に皮と皮同士の摩擦が十分にある場合はさらに安定性が高まる。
【００３０】
図５（ｂ）は第１の内側ベルト片１０のみを設け、母趾矯正ベルト３０を当該内側ベルトとクロスすることなく巻き込む形で第１の内側ベルト片１０上において係止させた場合を模式的に示した図である。この場合、第１の内側ベルト片１０の他端は履物底８０の右端に連結されている訳ではなく遊んでいる状態であり、ベースとしてはしっかりした状態ではない。さらに母趾矯正ベルト３０を当該内側ベルトとクロスすることなく巻き込む形で第１の内側ベルト片１０上において係止されており、図５（ａ）のようにクロスしてしっかり締め合っている訳ではない。また、遊んでいる状態の第１の内側ベルト片１０に対して母趾矯正ベルト３０をクロスせずに上から巻き込む場合には隙間なく両者を係止しあうことが難しい。
このような原理に基づき、第１のベルトが履物底８０上面の内周縁から外周縁まで覆わずに単に母趾の周囲のみを左右からベルトで覆ったものに比べ、第１のベルト（第１の内側ベルト片１０と第１の外側ベルト片２０）が履物底８０上面の内周縁と外周縁の双方に固定され、貫通孔１１を介して第１のベルト片１０の裏側から外表面側へ導かれている母趾矯正ベルト３０を引き締める本発明のものは引き締め力が強く安定した構造となっている。
【００３１】
次に、第２のベルトについて説明する。
図１から図３に示すように、第２の内側ベルト片４０は、その一端が履物底８０の上面の内周縁中部（母趾球横付近）に固定されている。第２の外側ベルト片５０は、その一端が履物底８０の上面の外周縁中部（第５趾球横付近）に固定されている。ここで、固定方法は限定されないが、例えば、それらベルト片の端を履物底８０上面の周縁部分に対して厚手の糸を用いてミシンにより縫い付けて固定する。皮革用の接着剤を用いることもできる。
【００３２】
第２の内側ベルト片４０と第２の外側ベルト片５０とは相互に結び付けることができる構成となっている。結び付ける方法は特に限定されないが、例えば、図３に示すように、第２の内側ベルト片４０の他端の先端に輪状金具４１を設けておき、第２の外側ベルト片５０の他端の先端を当該輪状金具４１をくぐらせて履物の外周縁側（第５趾側）に折り返して引っ張り、第２の外側ベルト片５０の裏面を第２の外側ベルト片５０の表面に係止する（図２の状態）。第２の内側ベルト片４０は当該輪状金具４１を介して第２の外側ベルト片５０により外周縁側に引っ張られ、第２の外側ベルト片５０は当該輪状金具４１を介して内周縁側に引っ張られる仕掛けとなる。このように輪状金具４１を介して第２の外側ベルト片５０を折り返して引っ張ることにより、より強い引き締め効果を得ることができ、第２の内側ベルト片４０と第２の外側ベルト片５０とを強く結び付けることができる。第２の内側ベルト片４０は母趾球に接しているので、外反母趾の症状により「く」の字型に変形して内周縁側に出っ張った母趾球を外周縁側に矯正する力をしっかりと与えることができる。
【００３３】
なお、第２の外側ベルト片５０の他端の裏面と第２の外側ベルト片５０の外表面とを係止させる方法は特に限定されないが、それぞれにいわゆる着脱テープを設け、両者を着脱自由に係止せしめるものとすることができる。また、着脱テープの代わりに紐類を設け、両者を当該紐により結び付けても良い。
【００３４】
次に、外反母趾矯正履物１００の装着手順について説明する。
まず、図３の状態から、履物底８０の上面に利用者の足裏を置いて、第２のベルト（第２の内側ベルト片４０と第２の外側ベルト片５０）を利用者の母趾球から第５趾球まで掛け、第３のベルト（第３の内側ベルト片４０と第３の外側ベルト片５０）を利用者の足甲に掛ける。
第２の内側ベルト片４０の先端の輪状金具４１に第２の外側ベルト片５０の他端をくぐらせて再び外周縁側（第５趾側）に折り返して締め、第２の外側ベルト片５０他端の先端を第２の外側ベルト片５０の外表面上に係止せしめて第２の内側ベルト片４０と第２の外側ベルト片５０とを相互に結び付ける。第２の内側ベルト片４０が強く引き締められるので利用者の「く」の字型に曲がって張り出した母趾球に対して外側（小指側）に強い矯正力を加えることができる。
履物全体を足首甲に対して固定するため、第３の内側ベルト片６０と第３の外側ベルト片７０を相互に結び付けて履物全体を足首甲に固定する。
第２のベルトおよび第３をベルト結んで係止すると、図２の状態となる。
【００３５】
次に、母趾矯正ベルト３０を利用者の母趾を包み込みつつ、第１の内側ベルト片１０の貫通孔１１に対して通し入れ、図２（ｂ）から図２（ａ）の状態とする。
なお、当初から母趾矯正ベルト３０は貫通孔１１に通し入れたままとなっておればこの手順は省略することができる。つまり、利用者が外反母趾矯正履物１００を脱ぐ際には、母趾矯正ベルト３０を貫通孔１１から完全に抜き外さなくても、通し入れた状態で緩めて隙間を作るだけで母趾を履物１００から抜くことができれば、母趾矯正ベルト３０を貫通孔１１から完全に外さなくても良い。この場合、次に装着する際には母趾矯正ベルト３０は貫通孔１１に通し入れられた状態になっているからである。
【００３６】
次に、第１のベルトを利用者の足のつま先にかける。
第１の外側ベルト片２０を足指に載せ、さらに、第１の内側ベルト片１０の他端を右側（足小指側）に引っ張って利用者の足のつま先における遊びの大きさを調節しつつ母趾から足小指までを覆う。第１の内側ベルト片１０と第１の外側ベルト片２０を当該位置において結び付ける。例えば、第１の内側ベルト片１０の他端先端の裏面にある着脱テープを第１の外側ベルト片２０の表面にある着脱テープに係止せしめて両者を結び付けて固定する。図１の状態となる。
【００３７】
次に、図４に示すように、母趾矯正ベルト３０を利用者の母趾の矯正度合いに合わせて引っ張り、第１の内側ベルト片１０の外表面上に係止する。
貫通孔１１から第１の内側ベルト片１０の外表面に導き出されている母趾矯正ベルト３０の他端を、外反している母趾に適度なテンションを与えるように調整しつつ手の指で引っ張り、当該他端を第１の内側ベルト片の外表面上係止せしめる。これにより外反している母趾に対して外反を矯正する方向（内周縁方向）の力を適度に調整しつつ加えることができる。
図４のように、本発明の外反母趾矯正履物１００は、外反している母趾全体を包み込みつつ、外反方向とは真逆の方向に外反を矯正する力をしっかりと加え、その矯正力を柔軟に調整することができる。母趾の骨を痛めることもなく理想的な外反母趾の矯正が可能となる。
【実施例２】
【００３８】
実施例２の外反母趾矯正履物１００は、さらに履物底８０上面に外反母趾を矯正するための凹凸形状を設けたものである。
【００３９】
本実施例２では、履物底８０が中敷底として分離可能なものとした例として説明する。図６は、実施例２の外反母趾矯正履物１００の中敷底８０を取り出した様子を模式的に説明する図である。中敷底８０の上面は、正常な人の足骨形状が持つべき内縦足弓（土踏まずアーチ）、外縦足弓（小指側アーチ）、横足弓（メタタザールアーチ）に対応する３つの丘状凸面形状８１〜８３を備えている。図６中のＡ１−Ａ１線の縦断面を図７（ａ）、Ａ２−Ａ２線の縦断面を図７（ｂ）、Ａ３−Ａ３線の横断面を図７（ｃ）に示す。外反母趾矯正履物１００の中敷底８０の上面には、図７（ａ）に示すように内縦足弓（土踏まずアーチ）に対応する凸面形状８１が設けられている。また、図７（ｂ）に示すように外縦足弓（小指側アーチ）に対応する凸面形状８２を備えている。また、図７（ｃ）に示すように横足弓（メタタザールアーチ）に対応する凸面形状８３が設けられている。
【００４０】
これら内縦足弓、外縦足弓、横足弓の３つのアーチは足骨の正常な形を保つ上で重要なものであり、このアーチがくずれてくると外反母趾発症につながると考えられている。そこで、これらアーチの形成を助ける凹凸形状８１〜８３を履物底８０上面に設けたものである。
この履物底８０上面の凹凸形状８１〜８３を併せ持つことにより、実施例１で説明した外反母趾矯正ベルト３０による外反母趾の矯正との相乗効果が期待できる。
【００４１】
以上、本発明の好ましい実施形態を図示して説明してきたが、本発明は、上記実施例の具体的な形状には限定されず、本発明の技術的範囲を逸脱することなく種々の変更が可能であることは理解されるであろう。従って本発明の技術的範囲は添付された特許請求の範囲の記載によってのみ限定されるものである。
【産業上の利用可能性】
【００４２】
本発明の外反母趾矯正履物は、外反母趾を矯正するための履物、サンダルとして市場に提供することができる。また、外反母趾を予防する履物、サンダルとして市場に提供することができる。
【図面の簡単な説明】
【００４３】
【図１】実施例１にかかる外反母趾矯正履物１００の外観を示す図。
【図２】すべてのベルトを外して各ベルトの構造を分かりやすく示した図
【図３】（ａ）は第２のベルトおよび第３のベルトを結んで第１のベルトのみを外した状態を示す図、（ｂ）は外反母趾矯正ベルト３０を貫通孔１１に対して通し入れた様子を示す図
【図４】母趾矯正ベルト３０を利用者の母趾の矯正度合いに合わせて引っ張り調整する様子を示す図
【図５】第１のベルトと母趾矯正ベルト３０の相互の締め合いの原理を説明する図
【図６】実施例２の外反母趾矯正履物１００の中敷底８０を取り出した様子を模式的に説明する図
【図７】実施例２の外反母趾矯正履物１００の中敷底８０の断面形状を示す図
【符号の説明】
【００４４】
１０  第１の内側ベルト片
１１  貫通孔
２０  第１の外側ベルト片
３０  母趾矯正ベルト
４０  第２の内側ベルト片
４１  輪状金具
５０  第２の外側ベルト片
６０  第３の内側ベルト片
７０  第３の外側ベルト片
１００  履物底上面
１１０  内縦足弓（土踏まずアーチ）に対応する丘状凸面形状
１２０  外縦足弓（小指側アーチ）に対応する丘状凸面形状
１３０  横足弓（メタタザールアーチ）に対応する丘状凸面形状
【図１】
2006187545.tif 000003
【図２】
2006187545.tif 000004
【図３】
2006187545.tif 000005
【図４】
2006187545.tif 000006
【図５】
2006187545.tif 000007
【図６】
2006187545.tif 000008
【図７】
2006187545.tif 000009